(57)【要約】      （修正有）【課題】二つ折りの台紙自体の加工だけで、マスクが飛び出したり落下すること等を防ぐことを可能としフック等に掛けることを可能としたマスクホルダーを提供する。【解決手段】二つ折りにされた台紙１０１、１０２の一方の台紙１０１には、二つ折りの谷折り線に対して外縁側の所定の位置に係止用の切り抜き又は切り込み１１０が形成され、他方の台紙１０２には、一方の台紙の係止用の切り抜き又は切り込みに対応する位置に、差し込み片１０５を画定する切り込み１１１が形成されており、二つ折り内側にマスクが収納され、他方の台紙の差し込み片が一方の台紙の係止用の切り抜き又は切り込みに差し込まれる。さらに、二つ折りにされた台紙の少なくとも一方には、取っ手部１２０が形成されている。【選択図】図９
0003231253.tif 000002
【実用新案登録請求の範囲】
【請求項１】
二つ折りにされた台紙の一方には、二つ折りの谷折り線に対して外縁側の所定の位置に係止用の切り抜き又は切り込みが形成され、他方の台紙には、前記一方の台紙の前記係止用の切り抜き又は切り込みに対応する位置に、差し込み片を画定する切り込みパタンが形成されており、
二つ折り内側にマスクが収納され、前記他方の台紙の前記差し込み片が前記一方の台紙の前記係止用の切り抜き又は切り込みに差し込まれ、
さらに、前記二つ折りにされた台紙の少なくとも一方には、取っ手パタンが形成されてなる、マスクホルダー。
【請求項２】
前記取っ手パタンは、前記二つ折りにされた台紙の少なくとも一方の台紙の辺から突設して形成されている、請求項１記載のマスクホルダー。
【請求項３】
前記取っ手パタンは、前記二つ折りにされた台紙の少なくとも一方の台紙に形成された切り込みにより前記台紙の面内に画成され、取っ手として使用する場合、利用者は、前記取っ手パタンを前記台紙の面から一旦浮かせ折曲部で折曲して前記台紙の辺から突設させる、請求項１記載のマスクホルダー。
【請求項４】
前記一方の台紙には、前記外縁側の所定の位置に係止用の前記切り抜きが形成され、前記他方の台紙には、前記一方の台紙の前記切り抜きに対応する位置に、前記差し込み片の輪郭を画定する切り込みを備え、
前記二つ折り内側に前記マスクが収納され、前記差し込み片は、二つ折り内側から前記切り抜きに差し込まれる、請求項１乃至３のいずれか１項に記載のマスクホルダー。
【請求項５】
前記差し込み片は、前記差し込み片の先端側を幅広とし前記先端側と反対側の基部側を幅狭とした形状を有し、
前記切り抜きは、互いに連通した幅広部と幅狭部を有する、請求項４記載のマスクホルダー。
【請求項６】
前記一方の台紙には、外縁部から縦又は横方向に所定長さの第１の切り込みを備え、前記他方の台紙には、前記一方の台紙の前記第１の切り込みに対応する位置に、外縁部から前記第１の切り込みに直交する向きに所定長さの第２の切り込み備え、前記第２の切り込みと前記他方の台紙の角部外縁とで前記差し込み片を画定し、
前記二つ折り内側に前記マスクが収納され、前記差し込み片は、二つ折り内側から前記第２の切り込みに差し込まれる、請求項１乃至３のいずれか１項に記載のマスクホルダー。
【請求項７】
前記一方の台紙の前記第１の切り込みと前記他方の台紙の前記第２の切り込みの組を複数組備えた、請求項６記載のマスクホルダー。
【請求項８】
前記一方の台紙と前記他方の台紙の谷折り線と直交する二辺のうち一方の辺の外縁部の端から端まで又はその一部は互いに接着加工されている、請求項１乃至７のいずれか１項に記載のマスクホルダー。
【考案の詳細な説明】
【技術分野】
【０００１】
本考案は、マスクを収納するマスクホルダーに関する。
【背景技術】
【０００２】
利用者が飲食時等に外したマスクを収納する紙製の使い捨てマスクホルダー（「マスクケース」ともいう）として、二つ折りした台紙のもの等が例えばサービスとして無料で提供される場合がある。
【０００３】
また、特許文献１には、図１６に示すように、三つ折り加工され、上辺（ａ）と底辺（ｂ）は山折になっており、左辺（ｅ）で圧着され、辺（ａ）と底辺（ｂ）及び左辺（ｅ）は閉じた状態になっている。右辺（ｃ）と右辺（ｄ）、（ｆ）は開口しているため、ここからマスクを出し入れすることができるようにしたマスク収納ケースが開示されている。さらに、三つ折り加工され、表紙部が蓋となることで、収納したマスクの落下を防ぐようにした紙製マスクケースも製造販売されている。
【先行技術文献】
【特許文献】
【０００４】
【特許文献１】実用新案登録第３１７０８２７号公報
【考案の概要】
【考案が解決しようとする課題】
【０００５】
二つ折りのマスクホルダーは、簡易な構成で低コストではあるが、マスクを収容したマスクホルダーを移動させる場合等、マスクが飛び出したり落下すること等がある。
【０００６】
また、新幹線や列車あるいは旅客機等において、利用者が前席背面のトレイの係止を外し食事テーブルとして利用する場合、マスクを収納したマスクホルダーを所定のフック（把手）等に掛けることができると、利便性が向上する。これは、マスクホルダーをトレイに置かずに、フックに掛ける（吊るす）ことで、その分、トレイ（食事テーブル）の面積が増大可能であるためである。
【０００７】
そこで、本考案は、二つ折りの台紙自体の加工だけで、マスクが飛び出したり落下すること等を防ぐことを可能としフック等に掛けることを可能としたマスクホルダーを提供することを目的とする。
【課題を解決するための手段】
【０００８】
本考案に係るマスクホルダーは、二つ折りにされた台紙の一方には、二つ折りの谷折り線に対して外縁側の所定の位置に係止用の切り抜き又は切り込みが形成され、他方の台紙には、前記一方の台紙の前記係止用の切り抜き又は切り込みに対応する位置に、差し込み片を画定する切り込みパタンが形成されており、二つ折り内側にマスクが収納され、前記他方の台紙の前記差し込み片が前記一方の台紙の前記係止用の切り抜き又は切り込みに差し込まれるマスクホルダーであって、さらに、前記二つ折りにされた台紙の少なくとも一方には、取っ手パタンが形成されている。
【考案の効果】
【０００９】
本考案によれば、二つ折りの台紙自体の加工だけで、マスクが飛び出したり落下すること等を防ぐことを可能としフック等に掛けることを可能としている。
【図面の簡単な説明】
【００１０】
【図１】本考案の実施形態の構成を説明する平面模式図である。
【図２】本考案の実施形態の構成を説明する側面模式図である。
【図３】本考案の実施形態の変形例を説明する平面模式図である。
【図４】本考案の実施形態の変形例を説明する側面模式図である。
【図５】本考案の実施形態の第２の変形例を説明する平面模式図である。
【図６】本考案の実施形態の第２の変形例を説明する側面模式図である。
【図７】本考案の実施形態の第３変形例を説明する平面模式図である。
【図８】本考案の実施形態の第３の変形例を説明する側面模式図である。
【図９】本考案の実施形態の第４の変形例を説明する平面模式図である。
【図１０】本考案の実施形態の第５の変形例を説明する平面模式図である。
【図１１】本考案の実施形態の第５の変形例を説明する側面模式図である。
【図１２】本考案の実施形態の第６の変形例を説明する平面模式図である。
【図１３】本考案の実施形態の第６の変形例を説明する側面模式図である。
【図１４】本考案の実施形態の第７の変形例を説明する平面模式図である。
【図１５】本考案の実施形態の第７の変形例を説明する側面模式図である。
【図１６】関連技術を説明する図である。
【考案を実施するための形態】
【００１１】
図１、図２は、本考案の一実施形態の構成を説明する図である。図１は、二つ折りされたマスクホルダー１０を展開した平面模式図である。図２は、図１のマスクホルダー１０において、マスク２０を収納し折り畳んで係止した状態を模式的に例示した側面模式図である。
【００１２】
図１を参照すると、マスクホルダー１０において、二つ折り加工された一方の台紙１０２（図１の右半分の台紙）には、外縁側の所定の位置（図１では上方角部付近）に、係止用の切り抜き１０３が形成され、他方の台紙１０１（図１の左半分の台紙）には、一方の台紙１０２の切り抜き１０３に対応する位置（上方角部付近）に、差し込み片（係止片）１０５が形成されている。
【００１３】
図１に例示するように、差し込み片１０５は、その先端部側が幅広、先端と反対側の基部側が幅狭の２段形状とされ、先端部の両側は、角丸加工されている。すなわち、差し込み片１０５は、幅狭部の基部から両側に拡延された傘（キノコ）型の形状とされている。切り抜き１０３の形状も、差し込み片１０５に対応して幅広部と幅狭部の２段構成とされる。切り抜き１０３の幅広部と幅狭部の幅は、差し込み片１０５の幅広部と幅狭部の幅にそれぞれ対応している。切り抜き１０３及び差し込み片（係止片）１０５は、例えば台紙の型抜き加工等で形成される。
【００１４】
図１に例示するように、二つ折り加工した一方と他方の台紙１０１、１０２は、谷折り１０６と直交する二辺のうち一方の辺（底辺）側の外縁部（下部）の接着領域１０８で接合され、該一方（底辺）の辺側で閉じており、該一片の辺と対向する他方の辺側は開放されている。なお、図１の例では、接着領域１０８は、各台紙１０１、１０２の端から端までに亘って形成されているが、その一部に接着領域１０８を形成する構成としてもよい。例えば、市販のクリアファイル等と同様に、各台紙１０１、１０２の谷折り１０６から所定長さの区間、接着領域１０８を設けない構成としてもよいことは勿論である。
【００１５】
さらに、台紙１０２の谷折り１０６と直交する二辺のうち他方の辺（上辺）側に突設して取っ手部１２０が形成されている。符号１２１は中空部を示している。なお、取っ手部１２０は角をとった略コノ字型の形状とされるが、取っ手部１２０の形状はコノ字型に制限されるものでない。例えば、中空台形や、逆Ｕ字型、逆Ｖ字型形状等であってもよい。また、中空部１２１は任意の形状であってよい。また、図１の例では、取っ手部１２０の中空部１２１その底辺が、二つ折りされた台紙１０２の一方の上辺と一致した形状とされるが、中空部１２１の底辺は台紙１０２の一方の上辺よりも上側であっても下側であってもよい。また、取っ手部１２０は、差し込み片１０５が形成された台紙１０１側に形成してもよいことは勿論である。
【００１６】
二つ折り加工される台紙（シート）１０１、１０２は両面抗菌処理されている。なお、台紙（シート）１０１、１０２は紙材に制限されるものでなく、例えば抗菌ポリシート（Low Density Polyethylene）等であってもよい。以下に説明される実施形態（各変形例）についても同様である。
【００１７】
図２は、マスク２０を二つ折り内側に収納したマスクホルダー１０を台紙１０２の表側からみた側面模式図である。図２において、１０７は、図１の二つ折りの谷折り１０６の表側の山折りである。図２を参照すると、利用者は、二つ折りされたマスクホルダー１０にマスク２０を収納した状態で、台紙１０１の差し込み片１０５の先端部を台紙１０１の面から浮かせ、二つ折り内側から、差し込み片１０５の先端部を、台紙１０２の切り抜き１０３の幅広部から差し込んで二つ折り外側（台紙１０２の表側）に突出させる。この操作により、台紙１０１と台紙１０２の間、すなわち二つ折り内側にマスク２０を収納したマスクホルダー１０において、台紙１０１と台紙１０２は二つ折りに折り畳まれた状態に係止（保持）される。
【００１８】
不織布マスク等では装着時に顔（鼻等）形状にフィットするノーズワイヤ等を備えている。使用前のマスクが平坦であっても、使用時のマスク２０は鼻、顎等の形状にフィットし、顔から外したマスク２０は、顔にフィットしたノーズワイヤ等により、ある程度立体形状（高さ、あるいは厚み）を保持している。立体マスクについても同様である。
【００１９】
図２の例では、顔にフィットしたマスク２０のノーズワイヤ等により、二つ折りに畳まれた台紙の一方（例えば図の１０２）が持ち上がる場合であっても、先端側が台紙１０２の表側に露出した差し込み片１０５の幅広部（拡延部）が、台紙１０２の切り抜き１０３の幅狭部で係止ロックされる。このため、台紙１０１と台紙１０２の係止（台紙１０１と台紙１０２が二つ折りに折り畳まれた状態に係止）が外れ、二つ折りされた台紙１０１と台紙１０２が開くことが抑制される。その結果、二つ折りされた台紙１０１と台紙１０２が開いてマスク２０がマスクホルダー１０から外に飛び出したり落ちたりすること等を防ぐことができる。なお、台紙１０１、１０２の差し込み片１０５、切り抜き１０３は、台紙１０２、１０１に形成してもよいことは勿論である。なお、差し込み片１０５の形状は、傘（キノコ）型の形状に制限されるものでないことは勿論である。
【００２０】
なお、図２の例では、マスク２０の両側の耳ひも２１を内側に折り畳んでいるが、例えばマスクホルダー１０の接着領域１０８（図の下側）と反対側（図の上辺側）に位置する耳ひも２１は内側に折り畳まなくてもよい。
【００２１】
本実施形態によれば、マスクホルダー１０の台紙自体の加工（例えば切り抜き、切り込み）による簡易な構成で、二つ折り加工された台紙１０１、１０２が二つ折りに折り畳まれた状態に係止される。このため、二つ折り内側に収納したマスク２０が、台紙１０１、１０２が開いてマスクホルダー１０から飛び出したり落ちたり（こぼれ落ちたり）すること等を防ぐことができる。また、マスクホルダー１０の谷折り１０６に直交する２辺のうちの一つが接着され閉じているため、取っ手部１２０を所定のフックに掛けた場合等において、マスクホルダー１０の当該辺が下側になっても、該辺からマスク２０が落下することが回避される。
【００２２】
図３、図４は、本考案の実施形態の変形例を説明する図である。図３を参照すると、本考案の一実施形態に係るマスクホルダー１０において、二つ折り加工された台紙の一方である台紙１０２（図３の右半分の台紙）には、外縁側の所定の位置（図３では上方角部付近）に、係止用の切り抜き１０３（スリット）が形成され、他方の台紙１０１（図３の左半分の台紙）には、一方の台紙１０２の切り抜き１０３に対応する位置（上方角部付近）に、差し込み片（係止片）１０５のパターン（輪郭）を画定する切り込み１０４のパタンが形成されている。また、図３の例では、差し込み片（係止片）１０５は舌片（爪）形状とされている。
【００２３】
差し込み片１０５の最大幅（差し込み方向に直交する幅の最大値）は、切り抜き１０３の長辺の長さに対応する幅（同等幅）に設定されている。なお、図３では、台紙１０１の差し込み片（係止片）１０５の先端が、二つ折りの谷折り１０６（折り畳み線）に対向する辺と連なるように形成されているが、差し込み片（係止片）１０５の位置は、図１の位置に制限されるものでないことは勿論である。例えば差し込み片（係止片）１０５の先端が、台紙１０１の谷折り１０６（折り畳み線）に対向する辺から離間し谷折り１０６側に位置するようにしてもよい。
【００２４】
また、差し込み片１０５の長さは、図示のものに限定されず、さらに長くてもよい。差し込み片１０５の長さを増すことで、切り抜き１０３に挿通（差し込ませた）させた差し込み片１０５は切り抜き１０３から抜けにくくなる。差し込み片１０５の長さを図示のものより長くした場合、切り抜き１０３の位置は図示のものより谷折り１０６側の位置に形成される。なお、差し込み片１０５の形状は、舌片（爪）形状に限定されるものでないことは勿論である。
【００２５】
図３の例では、切り抜き１０３は、二つ折りの谷折り１０６（折り畳み線）に平行に形成されているが、切り抜き１０３の配置角度は、これらの角度に制限されるものでないことは勿論である。
【００２６】
さらに、図３の例では、谷折り１０６を、二つ折りにされる台紙（台紙１０１＋台紙１０２）の長辺のセンターとしているが、センターからずらしたずらし折り加工であってもよいことは勿論である。そして、台紙１０１、１０２の差し込み片１０５、切り抜き１０３は、台紙１０２、１０１に形成してもよいことは勿論である。
【００２７】
図３に例示したように、二つ折り加工した一方と他方の台紙１０１、１０２は、谷折り１０６と直交する二辺のうち一方の辺（底辺）側の外縁部（下部）の接着領域１０８で接合され、該一方（底辺）の辺側で閉じており、該一片の辺と対向する他方の辺側は開放されている。台紙（シート）が紙の場合、糊付け加工され、ポリプロピレンシートの場合、溶着（圧着）加工される。なお、図１の例では、接着領域１０８は、各台紙１０１、１０２の端から端までに亘って形成されているが、その一部に接着領域１０８を形成する構成としてもよい。
【００２８】
さらに、台紙１０２の谷折り１０６と直交する二辺のうち他方の辺（上辺）側に突設して取っ手部１２０が形成されている。符号１２１は中空部を示している。なお、取っ手部１２０は、台紙１０１に形成してもよいことは勿論である。
【００２９】
図４は、マスクホルダー１０の二つ折り内側にマスク２０を収納した状態を、台紙１０２の表側（二つ折りの表側）からみた側面模式図である。図４において、１０７は、図１の二つ折りの谷折り１０６の表側の山折りである。
【００３０】
図４を参照すると、利用者は、二つ折りされ、谷折り１０６と直交する二辺のうち一方の辺側で閉じているマスクホルダー１０にマスク２０を収納した状態で、台紙１０１の差し込み片１０５を台紙１０１の面から浮かせ、二つ折り内側から、台紙１０２の切り抜き１０３に差し込んで二つ折り外側（台紙１０２の表側）に突出させる。この操作により、二つ折りに折り畳まれた一方と他方の台紙１０１、１０２の間、すなわち二つ折り内側にマスク２０を収納したマスクホルダー１０において、台紙１０１と台紙１０２は二つ折りに折り畳まれた状態に係止（保持）される。
【００３１】
この状態のマスクホルダー１０からマスク２０を取り出すときは、台紙１０１と台紙１０２が二つ折りに折り畳まれた状態に係止されたマスクホルダー１０の接着された辺と対向する辺側からそのままマスク２０を抜き出すか、あるいは、台紙１０２の切り抜き１０３に差し込まれた台紙１０１の差し込み片１０５を該切り抜き１０３から引き抜くことで、台紙１０１と台紙１０２の係止状態を解除し、台紙１０１と台紙１０２の間隔を拡げやすくしてから、マスク２０を取り出すようにしてもよい。
【００３２】
本実施形態によれば、マスクホルダー１０の台紙自体の加工（例えば切り抜き、切り込み）による簡易な構成で、二つ折り加工された台紙１０１、１０２が二つ折りに折り畳まれた状態に係止される。このため、二つ折り内側に収納したマスク２０が、台紙１０１、１０２が開いてマスクホルダー１０から飛び出したり落ちたり（こぼれ落ちたり）すること等を防ぐことができる。また、マスクホルダー１０の谷折り１０６に直交する２辺のうちの一つが接着され閉じているため、取っ手部１２０を所定のフックに掛けた場合等において、マスクホルダー１０の当該辺が下側になっても、該辺からマスク２０が落下することが回避される。
【００３３】
図５、図６は、本考案の実施形態の第２の変形例を説明する図である。図５は、二つ折りされたマスクホルダー１０を展開した平面模式図である。図６は、マスク２０を収納したマスクホルダー１０を折り畳んで係止した状態を模式的に示す側面模式図である。図５、図６の例は、本考案の実施形態の中でも最も簡易な構成の一つである。
【００３４】
図５を参照すると、第２の変形例に係るマスクホルダー１０は、二つ折り加工された一方の台紙１０１において、谷折り１０６と対向する側の上部角部側に角部から所定距離離間した位置に上部から縦方向に所定長さの切り込み１１０が形成されている。他方の台紙１０２には、台紙１０１の切り込み１１０に対応する位置に、切り込み１１０と直交する向きに、所定長さの切り込み１１１が形成されている。台紙１０２において、切り込み１１１と角部の縁とで差し込み片１０５を画定している。
【００３５】
切り込み１１０、１１１は、差し込み片１０５の差し込み時の強度の確保等のために、外縁側と反対側の端部が小円に切り抜かれている。ただし、切り込み１１０、１１１の端部の小円はなくてもよい。
【００３６】
二つ折り加工した一方と他方の台紙１０１、１０２は、谷折り１０６と直交する二辺のうち一方の辺（底辺）側の外縁部（下部）の接着領域１０８で接合され、該一方（底辺）の辺側で閉じており、該一片の辺と対向する他方の辺側は開放されている。台紙（シート）が紙の場合、糊付け加工され、ポリプロピレンシートの場合、溶着（圧着）加工される。なお、図１の例では、接着領域１０８は、各台紙１０１、１０２の端から端までに亘って形成されているが、その一部に接着領域１０８を形成する構成としてもよい。
【００３７】
さらに、台紙１０２の谷折り１０６と直交する二辺のうち他方の辺（上辺）側に突設して取っ手部１２０が形成されている。符号１２１は中空部を示している。なお、取っ手部１２０は、台紙１０１に形成してもよいことは勿論である。
【００３８】
図６は、マスク２０を二つ折り内側に収納したマスクホルダー１０を台紙１０１の表側からみた側面模式図である。図６を参照すると、マスク２０を収納し二つ折りに畳んだ状態に係止する場合、利用者は、差し込み片１０５を、台紙１０２から浮かせその先頭部を上に折り曲げた状態（持ち上げた状態）で、二つ折り内側の対向する一方の台紙１０１の切り込み１１０に差し込み、差し込み片１０５を台紙１０１の切り込み１１０から表面側（二つ折り外側）に露出させる。この操作により、マスクホルダー１０の台紙１０１と台紙１０２は、二つ折りに折り畳んだ状態に係止（保持）される。このため、二つ折りに畳まれた台紙１０１と台紙１０２が開いて収納したマスク２０がマスクホルダー１０から外に飛び出したり落ちたりすること等を抑制することができる。
【００３９】
図７、図８は、本考案の実施形態の第３の変形例を説明する図である。図７は、二つ折りされたマスクホルダー１０を展開した平面模式図である。図８は、マスクホルダー１０をフック等に掛ける（吊るす）ため、取っ手部１２０を折り曲げて台紙１０２の上辺から突出させ、マスク２０を収納したマスクホルダー１０を折り畳んで係止した状態を模式的に示す側面模式図である。
【００４０】
図７を参照すると、第３の変形例では、図１のように、台紙１０２の辺から突設して取っ手部１２０を予め形成する代わりに、二つ折りされた台紙のうち台紙１０２の面内に切り込み１２２Ａ、１２２Ｂのパタンによって取っ手部１２０を画成している。なお、図７において、１２３は、取っ手部１２０の基部の折曲部（例えば谷折り加工されている）である。その他の構成は、図１の構成と同一であるため、説明を省略する。なお、取っ手部１２０は台紙１０１に形成してもよいことは勿論である。台紙１０２の面内に切り込み１２２Ａ、１２２Ｂによってパタン形成された取っ手部１２０の形状は、逆コノ字型とされているが、かかる構成に制限されるものでないことは勿論である。
【００４１】
図８を参照すると、マスクホルダー１０をフック等に掛ける場合、利用者は、台紙１０２の面内にパタン形成された取っ手部１２０を台紙１０２の面から浮かせ（面から離し）、折曲部１２３で略１８０度折り曲げ、台紙１０２の谷折り１０６と直交する二辺のうち接着領域１０８と反対側の辺（上辺）側に突出させる。図８において、１２１はコノ字型形状の取っ手部１２０の中空部である。
【００４２】
取っ手部１２０がパタン形成された台紙１０２側では、取っ手部１２０を折り曲げて上辺に突出させた場合、取っ手部１２０の形状を画定する切り込み１２２Ａ、１２２Ｂで画成された領域は中空部（孔）１２４となり、二つ折り内部に収納したマスク２０の一部が露出する場合があるが、マスク２０のほとんどの部分が二つ折りされた台紙で覆われているため、衛生面上等で問題はない。
【００４３】
なお、台紙１０２にパタン形成された取っ手部１２０は、折曲部１２３で二つ折り内側から折り曲げて台紙１０２の谷折り１０６と直交する二辺のうち接着領域１０８と反対側の辺（上辺）側に突設させる構成に制限されるものでないことは勿論である。例えば、台紙１０２にパタン形成された取っ手部１２０を二つ折り外側に浮かせ、折曲部１２３において、取っ手部１２０を二つ折り外側で１８０度折り曲げて台紙１０２の谷折り１０６と直交する二辺のうち接着領域１０８と反対側の辺（上辺）側に突設させるようにしてもよい。
【００４４】
第３の変形例では、マスクホルダー１０の二つ折りされた一方の台紙１０２に形成された取っ手部１２０を略１８０度折り曲げ台紙１０２の上辺から突出させてから、二つ折り台紙の内側にマスク２０を収納する例を説明したが、マスク２０を収納した状態で、取っ手部１２０を略１８０度折り曲げ台紙１０２の上辺から突出させるようにしてもよいことは勿論である。
【００４５】
図９は、本考案の実施形態の第４の変形例を説明する図である。図９は、二つ折りされたマスクホルダー１０を展開した平面模式図である。
【００４６】
図９を参照すると、図５を参照して説明した第２の変形例のように、取っ手部１２０を、台紙１０２から突設して形成する代わりに、二つ折りされた台紙１０１および台紙１０２の面内に形成された切り込み１２２Ａ、１２２Ｂで取っ手部１２０をパタン形成している。その他の構成は、図５の構成と同一である。
【００４７】
マスクホルダー１０をフック等に掛ける場合、利用者は、台紙１０２の面内にパタン形成された取っ手部１２０を折曲部１２３で１８０度折り曲げ（天地逆に折り返す）、台紙１０２の谷折り１０６と直交する二辺のうち接着領域１０８と反対側の辺（上辺）側に突出させる。台紙１０２の上辺から突出した取っ手部１２０は、台紙１０１の表側から見た場合、図６の取っ手部１２０と同一の形状となる。
【００４８】
そして、マスク２０を収納し二つ折りに畳んだ状態に係止する場合、利用者は、差し込み片１０５を、台紙１０２から浮かせその先頭部を上に折り曲げた状態（持ち上げた状態）で台紙１０１の切り込み１１０に差し込み、差し込み片１０５を台紙１０１の切り込み１１０から表面側（二つ折り外側）に露出させる。この操作により、マスクホルダー１０の台紙１０１と台紙１０２は、二つ折りに折り畳んだ状態に係止（保持）される。なお、切り込み１１０、１１１の端部の小円はなくてもよい。
【００４９】
第４の変形例において、台紙１０２の面内にパタン形成された取っ手部１２０を面から浮かせ折曲部１２３で折り曲げ、上辺から突出させ、マスク２０を収納したマスクホルダー１０を折り畳んで係止した側面図は図６となる。第４の変形例によれば、マスクホルダー１０の取っ手部を前座席のフック等に掛ける場合、二つ折りに畳まれた台紙１０１と台紙１０２が開いて収納したマスク２０がマスクホルダー１０から外に飛び出したり落ちたりすること等を抑制することができる。
【００５０】
図１０、図１１は、本考案の実施形態の第５の変形例を説明する図である。図１０は、二つ折りされたマスクホルダー１０を展開した平面模式図である。第５の変形例は、図９の第４の変形例の差し込み片１０５とはその位置が相違している。図９の第４の変形例では、差し込み片１０５では、台紙１０２の上辺と切り込み１１１で矩形形状が確定しているが、第５の変形例では、台紙１０２の切り込み１１１と１１２で差し込み片１０５の矩形形状が確定されている。台紙１０１には、台紙１０２の差し込み片１０５の切り込み１１１と対向する基部１１３（谷折り線）に対応する位置に切り込み１１０が設けられている。
【００５１】
図１１は、マスクホルダー１０をフック等に掛ける（吊るす）ため、取っ手部１２０を折り曲げて台紙１０２の上辺から突出させ、マスク２０を収納したマスクホルダー１０を折り畳んで係止した状態を模式的に示す側面模式図である。マスク２０を収納し二つ折りに畳んだ状態に係止する場合、利用者は、差し込み片１０５を基部１０３で折り曲げて台紙１０２から浮かせ、その先頭部を上に折り曲げた状態（持ち上げた状態）で台紙１０１の切り込み１１０に差し込み、差し込み片１０５を台紙１０１の切り込み１１０から表面側（二つ折り外側）に露出させる。この操作により、マスクホルダー１０の台紙１０１と台紙１０２は、二つ折りに折り畳んだ状態に係止（保持）される。
【００５２】
図１２、図１３は、本考案の実施形態の第６の変形例を説明する図である。図１２は、二つ折りされたマスクホルダー１０を展開した平面模式図である。図１２を参照すると、第５の変形例では、図９の第４の変形例における取っ手部１２０を、台紙１０１と台紙１０２の両方に形成している。
【００５３】
図１３は、台紙１０１、１０２にそれぞれ形成された取っ手部１２０−１、１２０−２を折り曲げ、マスク２０を収納したマスクホルダー１０を折り畳んで係止した状態を模式的に示す側面模式図である。図１３を参照すると、マスクホルダー１０をフック等に掛ける場合、利用者は、台紙１０１、１０２の面内にパタン形成された取っ手部１２０−１、１２０−２をそれぞれ折曲部１２３−１、１２３−２で折り曲げ、台紙１０１、１０２の谷折り１０６と直交する二辺のうち接着領域１０８と反対側の辺（上辺）側にそれぞれ突出させる。
【００５４】
そして、マスク２０を収納し二つ折りに畳んだ状態に係止する場合、利用者は、差し込み片１０５を、台紙１０２から浮かせその先頭部を上に折り曲げた状態（持ち上げた状態）で、台紙１０１の切り込み１１０に差し込み、差し込み片１０５を台紙１０１の切り込み１１０から表面側（二つ折り外側）に露出させる。この操作により、マスクホルダー１０の台紙１０１と台紙１０２は、二つ折りに折り畳んだ状態に係止（保持）される。このため、マスクホルダー１０の取っ手部を前座席のフック等に掛ける場合、二つ折りに畳まれた台紙１０１と台紙１０２が開いて収納したマスク２０がマスクホルダー１０から外に飛び出したり落ちたりすること等を抑制することができる。
【００５５】
図１４、図１５は、本考案の実施形態の第７の変形例を説明する図である。図１４は、二つ折りされたマスクホルダー１０を展開した平面模式図である。図１５は、マスク２０を収納したマスクホルダー１０を折り畳んで係止した状態を模式的に示す側面模式図である。この変形例は、図５、図６を参照して説明した前記第２の変形例のさらなる変形例ともいえる。
【００５６】
図１４を参照すると、第７の変形例に係るマスクホルダー１０は、台紙１０１において、上辺、下辺の切り込み１１０Ａ、１１０Ｂを備え、台紙１０２において、谷折り１０６に対向する辺の上側と下側に切り込み１１１Ａ、１１１Ｂを備えた構成とされる。なお、第７の変形例では、取っ手部１２０を折り曲げてマスクホルダー１０をフックに掛ける場合、谷折り１０６がマスクホルダー１０の底（下辺）となるため、前記各変形例において台紙１０１、１０２の下辺側に設けられていた接着領域１０８は備えていない。すなわち、この変形例のマスクホルダー１０の製造において、接着領域１０８の作成のための溶着（圧着）工程等が不要とされる。
【００５７】
図１５は、台紙１０２に形成された取っ手部１２０を折り曲げ、マスク２０を二つ折り内側に収納したマスクホルダー１０を台紙１０１の表側からみた側面模式図である。図１５を参照すると、マスクホルダー１０をフック等に掛ける場合、利用者は、台紙１０２の面内にパタン形成された取っ手部１２０を折曲部１２３で略１８０度折り曲げ、台紙１０２の谷折り１０６と反対側の辺側に突出させる。１２１は台紙１０２の上辺から突出したコノ字型形状の取っ手部１２０の中空部である。
【００５８】
マスク２０を収納したマスクホルダー１０を二つ折りに折り畳んだ状態に係止する場合、台紙１０２の差し込み片１０５Ａ、１０５Ｂをそれぞれ、台紙１０２から浮かせ先頭部を上に折り曲げた状態で、差し込み片１０５Ａ、１０５Ｂの基部（先端部の反対側）を、対向する一方の台紙１０１の切り込み１１０Ａ、１１０Ｂから差し込み、差し込み片１０５Ａ、１０５Ｂを台紙１０１の切り込み１１０Ａ、１１０Ｂから表面側（二つ折り外側）に露出させる。
【００５９】
この操作により、マスクホルダー１０の台紙１０１と台紙１０２は、二つ折りに折り畳んだ状態に係止（保持）され、二つ折りに畳まれた台紙１０１と台紙１０２が開いて収納したマスク２０がマスクホルダー１０から外に飛び出したり落ちたりすること等を抑制することができる。
【００６０】
なお、上記実施形態と各変形例では、二つ折り加工または二つ折りのずらし加工される台紙を矩形形状としているが、本考案はかかる構成に制限されるものでなく、例えば、谷折りをセンターとして、子供、幼児向けに、サル、タヌキ、ウサギ、ゾウ等の動物の形状等であってもよい。
【符号の説明】
【００６１】
１０  マスクホルダー
２０  マスク
２１  耳ひも
１０１  台紙（二つ折り加工された一方の台紙）
１０２  台紙（二つ折り加工された台紙の他方の台紙）
１０３  切り抜き（スリット状の切り抜き）
１０４  切り取り
１０５  差し込み片（係止片）
１０６  谷折り
１０７  山折り
１０８  接着領域
１０９  切り欠き凹部
１１０、１１１、１１２  切り込み
１１３  基部（谷折り線）
１２０、１２０−１、１２０−２  取っ手部
１２１、１２４  中空部
１２２A、１２２B、１２２−１A、１２２−２A、１２２−１B、１２２−２B  切り込み
１２３、１２３−１、１２３−２  折曲部
【図１】
0003231253.tif 000003
【図２】
0003231253.tif 000004
【図３】
0003231253.tif 000005
【図４】
0003231253.tif 000006
【図５】
0003231253.tif 000007
【図６】
0003231253.tif 000008
【図７】
0003231253.tif 000009
【図８】
0003231253.tif 000010
【図９】
0003231253.tif 000011
【図１０】
0003231253.tif 000012
【図１１】
0003231253.tif 000013
【図１２】
0003231253.tif 000014
【図１３】
0003231253.tif 000015
【図１４】
0003231253.tif 000016
【図１５】
0003231253.tif 000017
【図１６】
0003231253.tif 000018